【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】
光を点状に発光する点状光源と、その点状光源からの光を導入してそれを平面状の発光面から面状に放射する面状導光体とを有する照明装置において、
前記点状光源と前記面状導光体との間に線状導光体を設け、その線状導光体は前記点状光源からの光を線状光に変換して前記面状導光体へ向けて出射し、
前記線状導光体及び前記面状導光体は同一部材によって一体に形成されることを特徴とする照明装置。
【請求項２】
請求項１に記載の照明装置において、
前記線状導光体は、前記面状導光体の光入射面に対向する位置に光出射面を備え、
前記点状光源は、前記線状導光体の光出射面に隣り合う両側端面のうちの少なくとも一方に対向して配置され、
前記線状導光体の光出射面以外の面の一面に、前記点状光源からの光を前記光出射面へ導くための光反射部材を設けることを特徴とする照明装置。
【請求項３】
光を点状に発光する点状光源と、その点状光源からの光を導入してそれを平面状の発光面から面状に放射する面状導光体とを有する照明装置において、
前記点状光源と前記面状導光体との間に線状導光体を設け、その線状導光体は前記点状光源からの光を線状光に変換して前記面状導光体へ向けて出射し、
前記線状導光体は、前記面状導光体の光入射面に対向する位置に光出射面を備え、前記光出射面に向かい合う面に光反射部材を設け、
前記線状導光体の前記光出射面に向かう方向の幅が、前記点状光源から離れるにつれ狭くなることを特徴とする照明装置。
【請求項４】
請求項３に記載の照明装置において、前記線状導光体及び前記面状導光体はそれぞれ別体に形成されることを特徴とする照明装置。
【請求項５】
請求項３に記載の照明装置において、前記線状導光体及び前記面状導光体は同一部材によって一体に形成されることを特徴とする照明装置。
【請求項６】
請求項３から請求項５のいずれかに記載の照明装置において、
前記点状光源は、前記線状導光体の光出射面に隣り合う両側端面に対向して配置され、
前記線状導光体の前記光出射面に向かう方向の幅が、前記線状導光体の中央部分を境に異なることを特徴とする照明装置。
【請求項７】
請求項３から請求項５のいずれかに記載の照明装置において、前記点状光源は、前記線状導光体の光出射面に隣り合う両側端面のうちの少なくとも一方に対向して配置されていることを特徴とする照明装置。
【請求項８】
光を点状に発光する点状光源と、その点状光源からの光を導入してそれを平面状の発光面から面状に放射する面状導光体とを有する照明装置において、
前記点状光源と前記面状導光体との間に線状導光体を設け、その線状導光体は前記点状光源からの光を線状光に変換して前記面状導光体へ向けて出射し、
前記線状導光体は、前記面状導光体の光入射面に対向する位置に光出射面を備え、前記光出射面に向かい合う面に光反射部材を設け、
前記点状光源は、前記線状導光体の光出射面に隣り合う両側端面のうちの少なくとも一方に対向して配置されており、
前記光反射部材を備えた面を円柱形状に形成することを特徴とする照明装置。
【請求項９】
請求項２から請求項８のいずれかに記載の照明装置において、前記光反射部材は、プリズム、光反射色のドットパターン又は光反射シートのいずれか１つによって構成されることを特徴とする照明装置。
【請求項１０】
液晶パネルと、その液晶パネルに装着される照明装置とを有する液晶表示装置において、
前記照明装置は、光を点状に発光する点状光源と、その点状光源からの光を導入して平面状の発光面から面状に放射する面状導光体とを有し、さらに
前記点状光源と前記面状導光体との間に線状導光体を設け、その線状導光体はその点状光源からの光を線状光に変換して前記面状導光体に向けて出射し、
前記線状導光体及び前記面状導光体は同一部材によって一体に形成されることを特徴とする液晶表示装置。
【請求項１１】
液晶パネルと、その液晶パネルに装着される照明装置とを有する液晶表示装置において、
前記照明装置は、光を点状に発光する点状光源と、その点状光源からの光を導入してそれを平面状の発光面から面状に放射する面状導光体とを有し、
前記点状光源と前記面状導光体との間に線状導光体を設け、その線状導光体は前記点状光源からの光を線状光に変換して前記面状導光体へ向けて出射し、
前記線状導光体は、前記面状導光体の光入射面に対向する位置に光出射面を備え、前記光出射面に向かい合う面に光反射部材を設け、
前記線状導光体の前記光出射面に向かう方向の幅が、前記点状光源から離れるにつれ狭くなることを特徴とする液晶表示装置。
【請求項１２】
液晶パネルと、その液晶パネルに装着される照明装置とを有する液晶表示装置において、
前記照明装置は、光を点状に発光する点状光源と、その点状光源からの光を導入してそれを平面状の発光面から面状に放射する面状導光体とを有し、
前記点状光源と前記面状導光体との間に線状導光体を設け、その線状導光体は前記点状光源からの光を線状光に変換して前記面状導光体へ向けて出射し、
前記線状導光体は、前記面状導光体の光入射面に対向する位置に光出射面を備え、前記光出射面に向かい合う面に光反射部材を設け、
前記点状光源は、前記線状導光体の光出射面に隣り合う両側端面のうちの少なくとも一方に対向して配置されており、
前記光反射部材を備えた面を円柱形状に形成することを特徴とする液晶表示装置。
【請求項１３】
請求項１０から請求項１２のいずれかに記載の液晶表示装置と、その液晶表示装置に電力を供給する電源部と、その液晶表示装置の動作を制御する制御部とを有することを特徴とする電子機器。
【手続補正２】
【補正対象書類名】明細書
【補正対象項目名】０００６
【補正方法】変更
【補正の内容】
【０００６】
【課題を解決するための手段】
上記の目的を達成するため、本発明に係る照明装置は、光を点状に発光する点状光源と、その点状光源からの光を導入してそれを平面状の発光面から面状に放射する面状導光体とを有する照明装置において、  前記点状光源と前記面状導光体との間に線状導光体を設け、その線状導光体は前記点状光源からの光を線状光に変換して前記面状導光体へ向けて出射し、前記線状導光体及び前記面状導光体は同一部材によって一体に形成されることを特徴とする。この照明装置によれば、面状導光体の光入射面には点状光ではなくて線状光が入射するので、その面状導光体の面状の発光面の全域に均一な輝度の発光を得ることができる。


【手続補正３】
【補正対象書類名】明細書
【補正対象項目名】０００７
【補正方法】変更
【補正の内容】
【０００７】
また、本発明に係る照明装置は、光を点状に発光する点状光源と、その点状光源からの光を導入してそれを平面状の発光面から面状に放射する面状導光体とを有する照明装置において、前記点状光源と前記面状導光体との間に線状導光体を設け、その線状導光体は前記点状光源からの光を線状光に変換して前記面状導光体へ向けて出射し、前記線状導光体は、前記面状導光体の光入射面に対向する位置に光出射面を備え、前記光出射面に向かい合う面に光反射部材を設け、前記線状導光体の前記光出射面に向かう方向の幅が、前記点状光源から離れるにつれ狭くなることを特徴とする。上記の構成において、線状導光体及び面状導光体に関しては、それらをそれぞれ別体に形成した後に、線状導光体の光出射面と面状導光体の光入射面とを面接触させることができる。またそれとは別に、線状導光体及び面状導光体を同一部材によって一体に形成することもできる。このように両者を一体に形成する場合には、線状導光体の光出射面と面状導光体の光入射面とがその同一部材の内部の断面として潜在的に存在することになる。また、本発明に係る照明装置は、光を点状に発光する点状光源と、その点状光源からの光を導入してそれを平面状の発光面から面状に放射する面状導光体とを有する照明装置において、前記点状光源と前記面状導光体との間に線状導光体を設け、その線状導光体は前記点状光源からの光を線状光に変換して前記面状導光体へ向けて出射し、前記線状導光体は、前記面状導光体の光入射面に対向する位置に光出射面を備え、前記光出射面に向かい合う面に光反射部材を設け、前記点状光源は、前記線状導光体の光出射面に隣り合う両側端面のうちの少なくとも一方に対向して配置されており、前記光反射部材を備えた面を円柱形状に形成することを特徴とする。
【手続補正４】
【補正対象書類名】明細書
【補正対象項目名】０００８
【補正方法】変更
【補正の内容】
【０００８】
上記の構成において、線状導光体は面状導光体の光入射面に対向する位置に光出射面を備えた棒状形状に形成できる。このとき、点状光源は、線状導光体の光出射面に隣り合う両側端面のうちの少なくとも一方に対向して配置できる。また、線状導光体の光出射面以外の面に、点状光源からの光を光出射面へ導くための光反射部材を設けた場合に、この光反射部材は、例えば、プリズム、光反射色のドットパターン又は光反射シートのいずれか１つによって構成できる。ここで、光反射色は白色となることが一般的であるが、光を反射できる色であれば他の任意の色とできる。


【手続補正５】
【補正対象書類名】明細書
【補正対象項目名】００３２
【補正方法】変更
【補正の内容】
【００３２】
例えば、本発明の照明装置に関して考えれば、点状光源はタングステンランプに限られず、光を点状に放射する特性を有する任意の構造の光源を用いることが得きる。例えば、ＬＥＤ（発光ダイオード）を用いることができる。


【手続補正６】
【補正対象書類名】明細書
【補正対象項目名】００３３
【補正方法】変更
【補正の内容】
【００３３】
また、本発明の液晶表示装置に関して考えれば、図１等に示した実施形態ではＣＯＧ（ Chip On Glass）方式の液晶パネルを用いる場合を例示したが、これに代えて、ＴＡＢ（Tape Automated bonding：テープ自動化実装）の技術に則って形成されたＴＣＰ（Tape Carrier Package）を用いる方式の液晶パネル、あるいはその他あらゆる種類の液晶パネルに対して本発明を適用できることはもちろんである。


【手続補正７】
【補正対象書類名】明細書
【補正対象項目名】００３４
【補正方法】変更
【補正の内容】
【００３４】
また、本発明の電子機器に関して考えれば、図８に示した実施形態では携帯電話機の可視情報表示部に本発明の液晶表示装置を適用する場合を例示したが、携帯電話機以外の任意の電子機器、例えばビデオカメラ、デジタルスチルカメラ等の可視情報表示部いわゆるファインダ部等として本発明の液晶表示装置を適用できることはもちろんである。


【手続補正８】
【補正対象書類名】明細書
【補正対象項目名】００３５
【補正方法】変更
【補正の内容】
【００３５】
本発明の照明装置によれば、面状導光体の光入射面には点状光ではなくて線状光が入射するので、その面状導光体の面状の発光面の全域に均一な輝度の発光を得ることができる。


【手続補正９】
【補正対象書類名】明細書
【補正対象項目名】００３６
【補正方法】変更
【補正の内容】
【００３６】
本発明の照明装置によれば、線状導光体及び面状導光体のそれぞれについて異なる種類のものを用意しておき、要求に応じてそれらのうちから最適なものを選択して組み合わせて使用することができる。


【手続補正１０】
【補正対象書類名】明細書
【補正対象項目名】００３７
【補正方法】変更
【補正の内容】
【００３７】
本発明の照明装置によれば、線状導光体と面状導光体とが１つの部材となっているので、構造が簡単であり、照明装置及び液晶表示装置の組み立てが容易であり、さらに、部品管理が容易となる。


【手続補正１１】
【補正対象書類名】明細書
【補正対象項目名】００３８
【補正方法】変更
【補正の内容】
【００３８】
本発明の照明装置によれば、線状導光体を簡単に構成できる上に、安定した線状光の発光特性が得られる。


【手続補正１２】
【補正対象書類名】明細書
【補正対象項目名】００３９
【補正方法】変更
【補正の内容】
【００３９】
本発明の照明装置によれば、線状導光体の光反射部材を簡単に構成できる上に、安定した光反射特性が得られる。


【手続補正１３】
【補正対象書類名】明細書
【補正対象項目名】００４０
【補正方法】変更
【補正の内容】
【００４０】
本発明の照明装置によれば、点状光源から出た光の多くを光反射部材に導くことができるので、線状導光体の光出射面に高輝度の線状光が得られる。


【手続補正１４】
【補正対象書類名】明細書
【補正対象項目名】００４１
【補正方法】変更
【補正の内容】
【００４１】
本発明の液晶表示装置及び電子機器によれば、面状発光体の発光面から出射する光の輝度がその発光面の全域にわたって均一になるので、液晶パネルの可視像表示領域内に均一な明るさの表示を得ることができる。